(57)【要約】  話速変換処理を伴う録音・再生による反復学習を手軽に実施可能にする。  音声がマイク１８を介してＡ／Ｄ変換器１５に入力されると、入力が開始されたことが検知され（Ｓ４１ＹＥＳ、Ｓ４２ＮＯ）、入力された音声信号をＡ／Ｄ変換してサンプリングし、音声データとして、ＲＡＭ１４に書き込みを開始する（Ｓ４３，Ｓ４４）。入力が終了されると（Ｓ４２ＹＥＳ）、ＲＡＭ１４に書き込まれている音声データを先頭から順に読み取り（Ｓ４５）、音声データを変換比Ｍに話速変換処理し（Ｓ４６）、Ｄ／Ａ変換器１６へ送り、Ｄ／Ａ変換して、スピーカ１９へ出力する（Ｓ４７）。これらの再生が回数Ｎを終了すると再生処理を終了して（Ｓ４８ＹＥＳ）、ステップＳ４１へ進み、次の入力の待機状態に移行する。
2007145079.tif 000002
【特許請求の範囲】
【請求項１】
音声を入力するマイクと、
該マイクから出力された音声信号を音声データに変換するＡ／Ｄ変換器と、
該Ａ／Ｄ変換器から出力された音声データが書き込まれるメモリと、
音声データを音声信号に変換するＤ／Ａ変換器と、
該Ｄ／Ａ変換器の出力側に接続されたスピーカと、
前記マイクから出力される音声信号を監視し、音声信号の出力が開始されたら前記Ａ／Ｄ変換器から出力された音声データを前記メモリに書き込む録音手段と、
前記マイクから出力される音声信号を監視し、音声信号の出力が終了されたら前記メモリへの書き込み動作を停止し、前記メモリに書き込まれている音声データを順次読み取り、前記Ｄ／Ａ変換器で音声信号に変換した後、前記スピーカへ送り所定回数再生させる再生手段と、
音声データの入力または出力を監視し、音声データが前記メモリへ書き込まれる前に、または／および音声データが前記メモリから読み取られた後に、音声データの話速を所定の変換比に変換する話速変換手段と、
を備えたことを特徴とする反復再生学習機。
【請求項２】
請求項１に記載の反復再生学習機において、
前記再生手段における再生回数の設定値を入力する再生回数入力手段と、
前記話速変換手段における変換比の設定値を入力する変換比入力手段と、
を備えたことを特徴とする反復再生学習機。
【請求項３】
請求項１または２に記載の反復再生学習機において、
前記再生手段による音声データの再生中に前記マイクから出力される音声信号を監視し、音声信号の出力が開始されたら音声データの再生動作を停止させる再生停止手段を備えたことを特徴とする反復再生学習機。
【請求項４】
マイク入力端子と、スピーカまたは音声出力端子を備えたコンピュータ内蔵の装置に組み込まれるプログラムであって、
マイク入力端子からの音声信号の入力を監視し、入力が開始されたら入力された音声信号をＡ／Ｄ変換して得られた音声データを順次メモリに書き込む第１のステップと、
マイク入力端子からの音声信号の入力を監視し、入力が終了されたら前記第１のステップにおける音声データのメモリへの書き込み処理を停止し、メモリから書き込まれている音声データを順次読み取り、Ｄ／Ａ変換して所定回数スピーカまたは音声出力端子から再生出力する第２のステップと、
前記第１のステップで音声データをメモリに書き込む前に、または／および前記第２のステップで音声データをメモリから読み取った後に、該音声データの話速を所定の変換比に変換する第３のステップと、
を有することを特徴としたプログラム。
【請求項５】
請求項４に記載のプログラムにおいて、
前記第２のステップで音声データをＤ／Ａ変換してスピーカまたは音声出力端子から出力している再生動作中に、マイク入力端子からの音声信号の入力を監視し、入力が開始されたら前記再生出力動作を停止する第４のステップを有することを特徴としたプログラム。
【発明の詳細な説明】
【技術分野】
【０００１】
本発明は、単語、語句、文章等を暗記する際に使用する反復再生学習機およびプログラムに関し、詳しくは学習者が発した音声を録音した後、その録音音声を話速変換して反復再生する反復再生学習機に関し、また、パソコン、ゲーム機、カラオケ装置、携帯電話、デジタルオーディオプレーヤ、電子手帳、電子辞書、携帯端末等のコンピュータ内蔵装置において前述の反復学習を可能にするプログラムに関する。
【背景技術】
【０００２】
従来、音声ファイルとして記録された音声データを、その音の高さを変えることなく再生時間を圧縮または伸長、つまり話速変換して再生し、語学その他の学習等に使用されている。それらの従来技術として、特許文献１に記載の「速聴装置」、特許文献２に記載の「外国語会話学習法及び外国語会話学習装置」、特許文献３に記載の「録音装置及び再生装置」、特許文献４に記載の「携帯型の語学学習装置」がある。
【特許文献１】特開平１１−５２９８５号公報
【特許文献２】特開２００３−２４１６４４号公報
【特許文献３】特開平８−３３５０９９号公報
【特許文献４】特開２００３−１６７５０２号公報
【発明の開示】
【発明が解決しようとする課題】
【０００３】
これら従来の音声を圧縮または伸長して再生する装置では、予め、市販の教材等の音声ファイルを用意したり、あるいは学習者本人が教材を朗読して音声ファイルを用意したりしてから、それを話速変換装置、またはパソコンの話速変換ソフトを用いて、話速変換処理、すなわち圧縮または伸長し、次に、パソコンその他の再生装置により、その変換処理した音声ファイルを再生させるという手順が必要であり、面倒であった。そのため、音声圧縮等の話速変換処理による学習方法の効果が顕著であると認められているにもかかわらず、学習方法として、あまり普及が進んでいないのが実情であった。そこで、本発明は、学習者が教材を朗読したら、直ちにその音声を圧縮等の話速変換処理をして反復再生するようにして、手軽に音声圧縮等の話速変換処理による学習を可能にした反復再生学習機を提案するとともに、パソコン、ゲーム機、カラオケ装置、携帯電話、デジタルオーディオプレーヤ、電子手帳、電子辞書、携帯端末等のコンピュータ内蔵装置において、それらの話速変換処理による反復学習を可能にするプログラムを提案することを目的とした。
【課題を解決するための手段】
【０００４】
上記課題を解決するために、本発明の反復再生学習機は、音声を入力するマイクと、該マイクから出力された音声信号を音声データに変換するＡ／Ｄ変換器と、該Ａ／Ｄ変換器から出力された音声データが書き込まれるメモリと、音声データを音声信号に変換するＤ／Ａ変換器と、該Ｄ／Ａ変換器の出力側に接続されたスピーカと、前記マイクから出力される音声信号を監視し、音声信号の出力が開始されたら前記Ａ／Ｄ変換器から出力された音声データを前記メモリに書き込む録音手段と、前記マイクから出力される音声信号を監視し、音声信号の出力が終了されたら前記メモリへの書き込み動作を停止し、前記メモリに書き込まれている音声データを順次読み取り、前記Ｄ／Ａ変換器で音声信号に変換した後、前記スピーカへ送り所定回数再生させる再生手段と、音声データの入力または出力を監視し、音声データが前記メモリへ書き込まれる前に、または／および音声データが前記メモリから読み取られた後に、音声データの話速を所定の変換比に変換する話速変換手段とを備えたことを特徴とする。【０００５】
ここで、前記反復再生学習機には、前記再生手段における再生回数の設定値を入力する再生回数入力手段と、前記話速変換手段における変換比の設定値を入力する変換比入力手段とを備えることが好ましい。また、前記反復再生学習機には、前記再生手段による音声データの再生中に前記マイクから出力される音声信号を監視し、音声信号の出力が開始されたら音声データの再生動作を停止させる再生停止手段を備えることも可能である。【０００６】
また、本発明のプログラムは、マイク入力端子と、スピーカまたは音声出力端子を備えたコンピュータ内蔵の装置に組み込まれるプログラムであって、マイク入力端子からの音声信号の入力を監視し、入力が開始されたら入力された音声信号をＡ／Ｄ変換して得られた音声データを順次メモリに書き込む第１のステップと、マイク入力端子からの音声信号の入力を監視し、入力が終了されたら前記第１のステップにおける音声データのメモリへの書き込み処理を停止し、メモリから書き込まれている音声データを順次読み取り、Ｄ／Ａ変換して所定回数スピーカまたは音声出力端子から再生出力する第２のステップと、前記第１のステップで音声データをメモリに書き込む前に、または／および前記第２のステップで音声データをメモリから読み取った後に、該音声データの話速を所定の変換比に変換する第３のステップとを有することを特徴とした。【０００７】
ここで前記プログラムには、前記第２のステップで音声データをＤ／Ａ変換してスピーカまたは音声出力端子から出力している再生動作中に、マイク入力端子からの音声信号の入力を監視し、入力が開始されたら前記再生出力動作を停止する第４のステップを有することも可能である。
【発明の効果】
【０００８】
以上述べたように本発明によれば、学習者の発声が録音された後、直ちに圧縮または伸長の話速変換処理がなされて繰り返し再生されるため、録音、変換および再生のための操作・作業が不要となる。その結果、学習の補助機器として手軽に使用することが可能となる。
【発明を実施するための最良の形態】
【０００９】
以下、図に基づいて本発明の実施形態を説明する。図１は、本発明に係る反復再生学習機の第１の実施形態を示す外観図である。反復再生学習機の全体はヘッドセット状に構成され、スピーカを備えた１対のイヤーパッド１，２を半円状のフレーム３で連結し、イヤーパッド２の下端にマイク４を接続したものである。図示しないが、イヤーパッド２内には、音声信号および音声データを処理するマイクロコントローラ等が内蔵されている。この反復再生学習機の電源は、乾電池、充電池または商用電源のいずれでも良いし、あるいはそれらの併用でも良い。【００１０】
なお、図示例はマイクとスピーカを組み合わせてヘッドセット状の形態にしたが、これとは別形態として、マイクロコントローラ等の回路部と電源部をボックス内に収納し、そのボックスにジャックを設けておき、そこへヘッドセットのプラグを差し込む構成とすることも可能である。この場合は、市販されているヘッドセットの使用が可能となる。また、他の形態として、マイクとスピーカの部分に、抜き差し自在のイヤホンマイクや骨伝導イヤホンマイクを使用し、マイクロコントローラ等の回路部と電源部をボックス内に収納して、外観をデジタルオーディオプレーヤのように構成にすることもできる。【００１１】
図２は、図１に示された第１の実施形態の電気的構成を示したブロック図である。図示の実施形態は、ＣＰＵ１２，ＲＯＭ１３，ＲＡＭ１４，Ａ／Ｄ変換器１５，Ｄ／Ａ変換器１６、Ｉ／Ｏ部１７等からなるマイクロコントローラ(microcontroller)１１と、Ａ／Ｄ変換器１５に接続されたマイク(microphone)１８と、Ｄ／Ａ変換器１６に接続されたスピーカ(speaker)１９と、Ｉ／Ｏ部１７に接続されたスイッチ(switch)２０とから構成され
ている。なお、Ｉ／Ｏ部１７には、図示してないが必要に応じてディスプレイが接続される。スイッチ２０は、押しボタンスイッチ、ディップスイッチ、ロータリスイッチ、スライドスイッチ等により構成され、音声データを話速変換するときの変換比Ｍ（Ｍは正数）、再生回数Ｎ(Ｎは自然数であって無限大の値も含む)や、再生音と再生音との間の無音間隔等が、使用者により設定される。【００１２】
なお、スイッチ２０として、押しボタンスイッチを用いた場合は、１対のインクリメントスイッチとデクリメントスイッチとし、別途設置した液晶等からなるディスプレイ上に、設定数値や目盛りを表示させて、表示値を増減しながら設定値の入力操作を行うことができる。また、変換比Ｍ、無音間隔等を連続した値で調整したい場合は、スイッチ２０の代わりにボリューム（可変抵抗器）を用いることも可能である。また、図示しないが、スピーカ１９の音量を調節する操作手段も設置されている。マイク１８は、図１のマイク４に相当し、使用者の音声が入力される。マイク１８に入力された音声信号は、Ａ／Ｄ変換器１５によりＡ／Ｄ変換された後、サンプリングされて、ＲＡＭ１４に書き込まれる。このとき音声データを圧縮処理することも可能である。【００１３】
これらの録音作業が終了した後、ＲＡＭ１４から音声データが読み取られて、Ｄ／Ａ変換器１６により音声信号に変換された後、スピーカ１９に送られて、設定されたＮ回再生される。また、これらの録音再生過程の途中であって、音声データがＲＡＭ１４に書き込まれる前に、または／および音声データがＲＡＭ１４から読み取られた後に、話速がその変換比Ｍに変換される。図示例での話速変換は、圧縮としたので圧縮処理がなされる。その結果、スピーカ１９からは、マイク１８に入力された使用者の発声が、本来の再生速度よりも高速になって反復再生される。なお、図２のスピーカ１９は、図示していないが、図１のイヤーパッド１，２内に設置されている１対のスピーカである。【００１４】
図３は、図２のマイク１８へ入力される音声信号に対するスピーカ１９から出力される音声信号の関係、すなわち、マイクロコントローラ１１における入出力の関係を模式的に示した信号図である。図２におけるマイク１８へ、使用者の発声が期間Ｔ１の間入力された後、期間Ｔ２の休止期間を経過すると、音声入力が終了したものと判断される。すると、音声データは、ピッチをそのままにして再生時間のみを所定の変換比Ｍに圧縮する話速変換がなされて再生時間Ｔ３となって、スピーカ１９から再生される。図示例では、変換比（圧縮比）Ｍが２に設定されている場合であり、再生時間Ｔ３は、期間Ｔ１の２分の１の長さである。ここで、設定される変換比としては、圧縮処理の場合、２.０以上が好ましく、圧縮比が大きい程、時間当たりの反復回数が増して、学習効率が増すものである。しかしながら、学習者の聞き取り能力以上の圧縮比にして高速に再生させると、聞き取れなくなり、学習効果が損なわれる。そのため、学習者の聞き取り可能な最大の圧縮比に設定することが好ましい。【００１５】
スピーカ１９の再生回数Ｎは、図３の例では３に設定されている場合であり、無音の間隔Ｔ４を隔てて３回再生される。これら録音・再生が終了し、休止期間Ｔ５を経過して、使用者からの次の音声入力が期間Ｔ６の間あると、同様に２分の１に圧縮されて、期間Ｔ２の休止期間を経過後、再生時間Ｔ７となって再生される。ここで、設定される再生回数Ｎとしては、１０回程度が好ましいが、学習者の好みで、１０回ではしつこいと感じられる場合は、もっと少ない回数、例えば３回でもよい。また、一度学習して記憶した内容を、復習するような場合は、３回以下の少ない回数に設定してもよい。また、１０回の再生回数では、回数が少なくてどうしても記憶することができないような場合は、再生回数を２０回、５０回等に増すことも可能である。または、再生回数を無限大の回数に設定して、記憶できたという実感が得られるまで、繰り返し再生させることもできる。この場合、再生を中断させるために、別途、中断用のスイッチを設けておく。【００１６】
また、音声入力の終了を検知する期間Ｔ２、および無音の間隔Ｔ４は調整可能であり、使用状況に応じて使用者が調節することができる。なお、音声入力の終了を検知する期間Ｔ２は、学習者の発声の速度や使用機器の感度等に応じて設定するものとし、実際には、０.０５〜１.０秒の範囲の値が適当である。同様に、無音の間隔Ｔ４は、学習者が最適と思える学習速度に応じて設定するものとし、実際には、０.１〜２.０秒の範囲の値が適当である。なお、マイクロコントローラ１１における話速変換の処理法としては、例えば、公知の話速変換手法であるボコーダ方式等を用いることができる。【００１７】
図４は、図２における録音・再生処理を系統的に示したフローチャートである。以下、図４に基づいて、図１および図２を参照しながら、マイクロコントローラ１１における録音・話速変換・再生処理を説明する。図１に示された反復再生学習機を使用者が頭部に装着し、電源を投入し、スイッチ２０により音声データの話速の変換比Ｍ、再生回数Ｎをセットしてから、学習教材を読み上げると、音声がマイク１８を介してＡ／Ｄ変換器１５に入力される。【００１８】
すると、ＣＰＵ１２は、入力が開始されたことを検知し（Ｓ４１ＹＥＳ、Ｓ４２ＮＯ）、入力された音声信号をＡ／Ｄ変換してサンプリングし、音声データとして、メモリであるＲＡＭ１４に書き込みを開始する（Ｓ４３，Ｓ４４）。次に、使用者の発声に区切りがつき、入力の終了が検知されると（Ｓ４２ＹＥＳ）、ＣＰＵ１２は、メモリであるＲＡＭ１４に書き込まれている音声データを先頭から順に読み取り（Ｓ４５）、音声データの再生時間をそのピッチを変えることなく設定された変換比Ｍに話速変換し（Ｓ４６）、次いで、Ｄ／Ａ変換器１６へ送り、Ｄ／Ａ変換して、スピーカ１９へ出力する（Ｓ４７）。スピーカ１９の発音は使用者に聴取される。【００１９】
また、これらステップＳ４５〜Ｓ４７における音声データの出力は、繰り返されてその回数がカウントされ、設定されている回数Ｎを終了すると再生処理を終了して（Ｓ４８ＹＥＳ）、ステップＳ４１へ進み、次の入力の待機状態に移行する。このようにして、話速変換を圧縮にした場合、使用者は、教材を読み上げてから、その音声を高速にして再生した音声を聞くことで、「目で読む」、「口で発声」、「耳で聴く」の３つの器官を用いた一連の動作をしながら学習を進めることができる。特に、話速変換を圧縮とした場合は、高速で再生された音声が耳に入力されるため、頭脳へのインパクトが強力となり、効果的な学習が可能となる。同様に、話速変換を伸長にした場合も、ゆっくりと時間をかけて聞くことで学習効果が得られる。【００２０】
次に、第２の実施形態について説明する。第２の実施形態は、部品構成が第１の実施形態と同一に構成されていて処理方法のみが異なる。図５は、マイクロコントローラ１１における入出力の関係を模式的に示した第２の実施形態の信号図である。図では、再生回数を無限大に設定しておいて、入力した音声を使用者が満足する回数まで、再生を繰り返す場合を示し、再生の途中で、次の音声を入力することにより、それまでの再生が中断され、新たに入力した音声の録音と再生が開始されることを示している。この実施形態では、音声の再生中にも、マイク１８からの入力を監視することで、再生の中断が可能となる。【００２１】
次に、第３の実施形態について説明する。第３の実施形態は、部品構成が第１の実施形態と同一に構成されていて処理方法のみが異なる。図６は、マイクロコントローラ１１における入出力の関係を模式的に示した第３の実施形態の信号図を示すものである。図６の実施形態が図３の実施形態と異なるところは、マイク１８から期間Ｔ１の音声入力があると、その音声データを録音すると同時に、そのままスピーカ１９で同時再生するものである。他の動作は、図３の実施形態と同一である。この場合は、第１および第２の実施形態よりも、再生回数が増えた分、学習効果が増大するものである。【００２２】
なお、図３、図５および図６の各実施形態では、音声入力後の複数回の再生は、話速変換を全て圧縮として、その圧縮比を同一にしている場合を示しているが、他の実施形態として、圧縮比を変化させることも可能である。図示しないが、複数回再生する場合は、個々の再生ごとに圧縮比を変化させ、例えば、最初の再生では、圧縮比を１とし、次の再生では圧縮比を２とし、さらに次の再生では圧縮比を３というように、圧縮比が次第に増大するように変化させることも可能である。さらには、高圧縮比の再生と低圧縮比の再生を交互に繰り返すことも可能である。また、圧縮比を１以下、すなわち再生時間を伸長して再生させることも可能である。これら圧縮比をその都度変化させる場合は、その変化の態様を再生パターンとして、予め入力して記憶させておき、それを再生の際に選択するように構成することが可能である。【００２３】
次に、第４の実施形態について説明する。図７は、第４の実施形態における録音・再生処理を系統的に示したフローチャートである。この実施形態の部品構成は図１および図２に示した第１の実施形態と共通である。以下、図７に基づいて、図１および図２を参照しながら、マイクロコントローラ１１における第４の実施形態の録音・話速変換・再生処理を説明する。図１に示された反復再生学習機を使用者が頭部に装着し、電源を投入し、スイッチ２０により音声データの変換比Ｍ、再生回数Ｎをセットしてから、学習教材を読み上げると、音声がマイク１８を介してＡ／Ｄ変換器１５に入力される。【００２４】
すると、ＣＰＵ１２は、入力が開始されたことを検知し（Ｓ７１ＹＥＳ、Ｓ７２ＮＯ）、入力された音声信号をＡ／Ｄ変換してサンプリングし（Ｓ７３）、得られた音声データを、そのピッチを変えることなく、その再生時間を設定された変換比Ｍに話速変換する（Ｓ７４）。次いで、話速変換された音声データを、メモリであるＲＡＭ１４に書き込む（Ｓ７５）。次に、使用者の発声に区切りがつき、入力の終了が検知されると（Ｓ７２ＹＥＳ）、ＣＰＵ１２は、メモリであるＲＡＭ１４に書き込まれている音声データを先頭から順に読み取り（Ｓ７６）、次いで、Ｄ／Ａ変換器１６へ送り、Ｄ／Ａ変換して、スピーカ１９へ出力する（Ｓ７７）。スピーカ１９の発音は使用者に聴取される。また、これらステップＳ７６、Ｓ７７における音声データの出力は、繰り返されてその回数がカウントされ、設定されている回数Ｎを終了すると再生処理を終了して（Ｓ７８ＹＥＳ）、ステップＳ７１へ進み、次の入力の待機状態に移行する。【００２５】
なお、この実施形態では、図４の実施形態と異なり、音声データが入力されてメモリであるＲＡＭ１４に書き込まれる前に、話速変換の処理が行われる。また、この実施形態とは別に、話速変換の処理のタイミングを、ＲＡＭ１４に音声データが書き込まれる前と、ＲＡＭ１４から音声データが読み取られた後の両方で実施することも可能である。例えば、話速変換をボコーダ方式等で処理する場合は、サンプリングされた音声データを分析処理し、得られたパラメータをメモリへ格納しておき、再生のときはそのメモリからパラメータを読み取り、そのパラメータを用いて設定されている話速変換比にもとづいて音声の合成処理をおこなうことができる。【００２６】
また、上述した各実施形態に追加する機能として、ステレオ再生にすることも可能である。音源は、単一のマイクであるが、左右のスピーカの音量を、予め設定しておいた再生パターンに基づき交互に増減して、立体感をも持たせることができる。また、この学習機の使用者は、再生された自分の声が高すぎたり、低すぎたりすると思う場合もある。その場合は、ピッチコントローラの機能を備えておき、再生音のピッチの増減の調節を可能にする。その場合の調整範囲の限界は±２０〜３０％程度が適当である。同様に、ボイスチェンジ機能を備えて、声色を男声から女声へ、反対に女声から男声等へと、異なった音色に変換したりすることも可能である。【００２７】
また、本発明の実施形態では、マイクから音声信号を入力していたが、他の音声信号発
声機器、例えば、ラジオ、音声レコーダ、ＭＤプレーヤ、ＣＤ・ＤＶＤプレーヤ、デジタルオーディオプレーヤ、電子辞書等からの音声信号を、短時間入力させてから、マイク入力の場合と同じく、話速変換して繰り返し再生させることも可能である。さらに、マイク等から入力された音声を再生した後も、その音声データをそのままメモリに記憶させておき、２回目以降の学習の際は、マイク等からの再度の音声入力をすることなく、記憶されている音声データを再生させるという使用方法も可能である。【００２８】
上述した４つの実施形態は、いずれも、マイクロコントローラ等から構成された装置により実現されている。しかしながら、本発明の構成は、マイク入力端子と、スピーカまたは音声出力端子を備えたパソコンでも実現可能である。同様に、ＣＰＵおよびメモリを内蔵して、マイク入力端子と、スピーカまたは音声出力端子を備えたゲーム機、カラオケ装置、携帯電話、デジタルオーディオプレーヤ、電子手帳、電子辞書、携帯端末等でも実現可能である。【００２９】
これらの装置には、上述した４つの実施形態のいずれかまたはそれらの組み合わせた動作を、プログラムとして組み込み、マイク入力端子に、マイクやヘッドセットを接続して、変換比および再生回数を設定して、あるいは最初から変換比および再生回数を設定しておいて、音声入力することで、装置のスピーカまたは音声出力端子に接続したスピーカ、ヘッドフォン、ヘッドセットにより、話速変換処理した入力音声を所定回数再生させて、学習の補助機器として使用することができる。また、特に、パソコンを使用した場合は、マイク入力の代わりに、音声ファイルの再生音や、ＣＤやＤＶＤの再生音を、短時間取り込み、話速変換してから繰り返し再生させることも可能である。
【産業上の利用可能性】
【００３０】
本発明は、マイク入力端子と、スピーカまたは音声出力端子を備えたパソコン、ゲーム機、カラオケ装置、携帯電話、デジタルオーディオプレーヤ、電子手帳、電子辞書および携帯端末以外にも、ＣＰＵおよびメモリを内蔵し、その入出力端子部分に、マイク入力端子と音声出力端子を増設可能な全ての電子機器に、プログラムを組み込むことで利用可能である。
【図面の簡単な説明】
【００３１】
【図１】本発明に係る反復再生学習機の第１の実施形態の外観図である。
【図２】第１の実施形態の電気的構成を示したブロック図である。
【図３】図２のマイクロコントローラにおける入出力の関係を模式的に示した信号図である。
【図４】図２における録音・再生処理を系統的に示したフローチャートである。
【図５】第２の実施形態におけるマイクロコントローラの入出力の関係を模式的に示した信号図である。
【図６】第３の実施形態におけるマイクロコントローラの入出力の関係を模式的に示した信号図である。
【図７】第４の実施形態における録音・再生処理を系統的に示したフローチャートである。
【符号の説明】
【００３２】
１，２  イヤーパッド
３  フレーム
４  マイク
１１  マイクロコントローラ
１２  ＣＰＵ
１３  ＲＯＭ
１４  ＲＡＭ
１５  Ａ／Ｄ変換器
１６  Ｄ／Ａ変換器
１７  Ｉ／Ｏ部
１８  マイク
１９  スピーカ
２０  スイッチ
【図１】
2007145079.tif 000003
【図２】
2007145079.tif 000004
【図３】
2007145079.tif 000005
【図４】
2007145079.tif 000006
【図５】
2007145079.tif 000007
【図６】
2007145079.tif 000008
【図７】
2007145079.tif 000009
【国際調査報告】
2007145079.tif 000010
2007145079.tif 000011
2007145079.tif 000012
2007145079.tif 000013